(57)【特許請求の範囲】
【請求項１】
グランドピアノの屋根板の開放姿勢を保持可能に設けられるとともに、前記開放姿勢を保持する起立位置と倒伏位置との間で回動可能に設けられた突上棒の回動機構において、
前記突上棒の回動中心側において、突上棒とグランドピアノの本体との何れか一方に軸部を設けるとともに、何れか他方にガイド部を設け、
前記軸部は、その軸方向に平面部を備えている一方、前記ガイド部は、一部に突上棒起立用スロット穴状部分と、その他の部分に突上棒倒伏用穴部分とを備え、
前記軸部及びガイド部は、突上棒を前記起立位置としたときに、前記平面部及び前記突上棒起立用スロット穴状部分の内面が相互に面接触する状態で係合するとともに、突上棒の回動角度を保持して当該突上棒を自立させ、突上棒を前記倒伏位置としたときに、軸部が前記突上棒倒伏用穴部分に受容されることを特徴とする突上棒の回動機構。
【請求項２】
前記軸部は、その軸の径方向両側に相互に略平行となる一対の前記平面部を備え、突上棒を倒伏位置から起立する方向に回動したときに、各平面部とガイド部の突上棒起立用スロット穴状部分の内面とが相互に面接触する状態で係合して突上棒を前記起立位置に位置決めすることを特徴とする請求項１記載の突上棒の回動機構。
【発明の詳細な説明】
【０００１】
【発明の属する技術分野】
本発明は、突上棒の回動機構に係り、更に詳しくは、グランドピアノ等の楽器の屋根板が不用意に回動してしまうことを防止することができる突上棒の回動機構に関する。
【０００２】
【従来の技術】
従来より、ピアノ本体の上部に開閉可能に支持された屋根板を有するグランドピアノが広く利用されるに至っている。公知のグランドピアノは、屋根板を開放した状態に保つアーム状の突上棒を備えており、当該突上棒は、起立位置と倒伏位置との間で回動可能に設けられている。この突上棒は、屋根板の開放角度を段階的に調整可能とするため、長短２〜３種類の長さの突上棒を備えている。また、屋根板の裏面側には、各突上棒に対応してこれら突上棒の先端を受容可能な二枚の受け皿が並んで取り付けられており、各受け皿は、開放姿勢となる屋根板の面と突上棒の軸線とが略直交する相対位置にそれぞれ設けられている。
【０００３】
前記屋根板の開放姿勢を保持させる作業は、一方の手で屋根板の開放姿勢を維持しながら、他方の手で突上棒を起立する方向に回動させた後、突上棒上に屋根板を乗せるよう対応する受け皿内に突上棒の先端を受容させることにより行われる。
【０００４】
【発明が解決しようとする課題】
しかしながら、前記屋根板の開放姿勢を保持させる場合、突上棒の先端を受け皿内に受容させるため、屋根板と突上棒とを略同時に回転させる必要がある。この際、屋根板の重さが相当なものとなるため、屋根板を持つ手がぐらつき易くなり、受け皿に対して突上棒の先端がしっかりと受容されない状態の位置ずれが生じるという不都合を生じ、これが屋根板の不用意なる回動を惹起せしめる要因となる。また、二枚の受け皿が並んで設けられているので、対応する受け皿を間違える虞もある。このような状態で、受け皿内に突上棒の先端を受容させると、屋根板の面と各突上棒の軸線との角度を略直角に保てなくなることに起因して、屋根板の開放姿勢が不安定となり、これにより、不用意な衝撃等により屋根板が閉じてしまい、グランドピアノの故障や怪我の原因になるという不都合も招来する。
【０００５】
ところで、前述した作業の容易化を図るため、突上棒の基部側に当接可能なストッパを備えたものが存在する。このストッパは、突上棒が屋根板を保持する起立位置とされたときに、突上棒の基部側と当接し、当該当接した状態を手で支えることにより、突上棒の回動角度を保持可能に設けられている。
【０００６】
しかしながら、このようなストッパを用いた場合には、突上棒の基部側をストッパに押し付ける力、すなわち、突上棒を起立する方向に回動する力を付与しないと突上棒が倒伏してしまうため、一方の手で突上棒を支えることが不可避となる。従って、屋根板を両手で押し上げる作業を両手で行うことができないという不都合を招来する。
【０００７】
【発明の目的】
本発明は、このような不都合に着目して案出されたものであり、その目的は、屋根板の開放姿勢を保持させる作業を容易に行うことができ、且つ、屋根板の開放姿勢を安定的に保つことができる突上棒の回動機構を提供することにある。
【０００８】
【課題を解決するための手段】
前記目的を達成するため、本発明は、グランドピアノの屋根板の開放姿勢を保持可能に設けられるとともに、前記開放姿勢を保持する起立位置と倒伏位置との間で回動可能に設けられた突上棒の回動機構において、
前記突上棒の回動中心側において、突上棒とグランドピアノの本体との何れか一方に軸部を設けるとともに、何れか他方にガイド部を設け、
前記軸部は、その軸方向に平面部を備えている一方、前記ガイド部は、一部に突上棒起立用スロット穴状部分と、その他の部分に突上棒倒伏用穴部分とを備え、
前記軸部及びガイド部は、突上棒を前記起立位置としたときに、前記平面部及び前記突上棒起立用スロット穴状部分の内面が相互に面接触する状態で係合するとともに、突上棒の回動角度を保持して当該突上棒を自立させ、突上棒を前記倒伏位置としたときに、軸部が前記突上棒倒伏用穴部分に受容される、という構成を採っている。このような構成によれば、突上棒を起立させた状態を独自に維持することができるので、屋根板を両方の手で持ちながら突上棒の先端に乗せることができ、屋根板の開放姿勢を保持させる作業の容易化を図ることが可能となる。これにより、例えば、腕力が比較的弱い者であっても、前述した作業を無理なく行うことができる。また、従来例に示されるような屋根板の裏面に設けられた受け皿と突上棒の先端との位置ずれを防止することができ、これにより、屋根板の不用意なる回動を防止することができる。しかも、前記受け皿が相互に隣接して複数ある場合には、対応する受け皿の間違いを回避することも可能となる。
【０００９】
【発明の実施の形態】
本発明において、前記軸部は、その軸の径方向両側に相互に略平行となる一対の前記平面部を備え、突上棒を倒伏位置から起立する方向に回動したときに、各平面部とガイド部の突上棒起立用スロット穴状部分の内面とが相互に面接触する状態で係合して突上棒を前記起立位置に位置決めする、という構成を採ることが好ましい。
【００１２】
なお、本明細書において、「グランドピアノ」とは、屋根板が開閉されるピアノについて総称するものであって、同様の外形若しくは機能を備えた電子ピアノも含む概念として用いられる。
【００１３】
【実施例】
以下、本発明に係る突上棒の回動機構がグランドピアノに適用された実施例を図面を参照しながら説明する。
【００１４】
［第１実施例］
図１には、第１の実施例に係るグランドピアノの概略斜視図が示されている。この図において、グランドピアノ１０は、上部側を開放する形状に設けられるとともに、内部に所定のアクション機構等を有する本体１１と、この本体１１の一端側に沿う二箇所位置に設けられたヒンジ１２，１２と、これらヒンジ１２，１２を介して本体１１に支持されているとともに、本体１１の開放側（上部側）を開閉可能に設けられた屋根板１３と、本体１１の他端側すなわちヒンジ１２の取付位置の反対側であって、本体１１の内周面側に回動可能に支持された突上棒１４と、この突上棒１４の先端部を受容する受け皿１６とを備えて構成されている。
【００１５】
前記受け皿１６は、屋根板１３の自由端側コーナー領域における裏面側に設けられている。この受け皿１６は、手前側（鍵盤１１Ａ側）の端部に沿って取り付けられた二枚の受け皿１６Ａ，１６Ｂにより構成されている。
【００１６】
前記各突上棒１４は、屋根板１３の開放姿勢を保持する起立位置と、本体１１内に収容される倒伏位置との間で回動可能に設けられている。この突上棒１４は、隣接する位置に設けられた軸方向長さの異なる二本の突上棒、すなわち、長寸突上棒１４Ａと短寸突上棒１４Ｂとにより構成されている。長寸突上棒１４Ａは、前記起立位置としたときに、受け皿１６Ａに受容される（図１参照）一方、短寸突上棒１４Ｂは、受け皿１６Ｂに受容される。各突上棒１４Ａ，１４Ｂの長さ及び受け皿１６Ａ，１６Ｂの位置は、長寸突上棒１４Ａ及び短寸突上棒１４Ｂの先端を対応する受け皿１６Ａ，１６Ｂに受容させたときに、屋根板１３の面と長寸突上棒１４Ａ及び短寸突上棒１４Ｂの軸線とが略直交するように設定されている。
【００１７】
前記長寸突上棒１４Ａ及び短寸突上棒１４Ｂは、本体１１の内周面側に設けられたブラケット２０，２０を介してそれぞれ支持されている。ここで、各ブラケット２０，２０は、略同様の構造が採用されており、以下の説明において、長寸突上棒１４Ａ及びこれを支持するブラケット２０についてのみ説明し、短寸突上棒１４Ｂ及びこれを支持するブラケット２０についての説明を省略する。
【００１８】
前記ブラケット２０は、図２ないし図４に示されるように、本体１１の内周面にねじ止め固定されるとともに、上下方向に延びる板状の取付面部２１と、この取付面部２１の短寸方向（図３中紙面直交方向）両側に連なって略鉛直面内に位置するとともに、略半円弧状の先端形状を備えた一対の支持面部２２，２２とを備えて構成されている。ここで、ブラケット２０と長寸突上棒１４Ａとの間には、当該長寸突上棒１４Ａの回動角度を一定に保つ位置規制部２３が設けられている。
【００１９】
前記位置規制部２３は、長寸突上棒１４Ａの幅方向両側から突出する位置に設けられた第１の位置規制体としての軸部２５，２５と、各支持面部２２，２２の面内にそれぞれ形成されるとともに、軸部２５，２５をそれぞれ受容可能に設けられた第２の位置規制体としてのガイド部２６，２６とにより構成されている。各軸部２５，２５は、円柱状の軸の外面を部分的に削ぎ落としたような外形に設けられている。具体的には、前記軸方向であって当該軸の径方向両側、すなわち、長寸突上棒１４Ａを倒伏姿勢とした状態で図３中上下両側に、相互に略平行となる一対の平面部２７，２７を備えている。
【００２０】
前記各ガイド部２６，２６は、延出方向中間部において湾曲する形状を備えたスロット穴状に設けられている。更に詳述すると、ガイド部２６は、長寸突上棒１４Ａの倒伏位置で軸部２５を受容するとともに、略水平方向に沿って延びる水平部２９と、この水平部２９の取付面部２１側（図３中右側）に連なるとともに、図３中右下がりとなる円弧状に形成された湾曲部３０と、この湾曲部３０に連なって同図中右斜め下方向に直線的に延びる傾斜部３１とを備えている。傾斜部３１の延出方向は、図４に示されるように、長寸突上棒１４Ａの先端を対応する受け皿１６Ａに受容させた起立位置とした状態で、長寸突上棒１４Ａの軸線方向と略平行となるように設定されている。また、ガイド部２６の短寸方向幅すなわち穴の幅Ｗ１は、各平面部２７，２７の離間幅Ｗ２と略同一若しくは若干広く形成されている。これにより、軸部２５，２５の各平面部２７，２７がガイド部２６，２６の内周縁に沿って移動可能となる。
【００２１】
なお、前記短寸突上棒１４Ｂを支持するブラケット２０において、傾斜部の延出方向は、短寸突上棒１４Ｂの先端を対応する受け皿１６Ｂに受容させたときに、短寸突上棒１４Ｂの軸線と略平行に設定されている。また、短寸突上棒１４Ｂは、長寸突上棒１４Ａを起立方向に回動したときに付随して回動するが、短寸突上棒１４Ｂを直接持って起立方向に回動したときには長寸突上棒１４Ａとは、独立して単独で起立可能となっている。
【００２２】
以上の構成において、屋根板１３を閉塞した状態から図１に示される開放姿勢に保つ場合、先ず、一方の手で屋根板１３を大きく開放した後、他方の手で長寸突上棒１４Ａを倒伏位置から起立する方向に回動する。この際、軸部２５とガイド部２６が相互に作用して、すなわち、軸部２５がガイド部２６の湾曲部３０の内周面に沿って移動することにより、長寸突上棒１４Ａの回動軌跡が形成される。そして、屋根板１３の開放姿勢を保持する起立位置まで長寸突上棒１４Ａを回動させたときに、長寸突上棒１４Ａの自重によって軸部２５が傾斜部３１に沿って下降し、当該傾斜部３１の底部側に配置される（図４参照）。この際、各平面部２７，２７と傾斜部３１の内面とが相互に面接触する状態で係合し、長寸突上棒１４Ａの回動角度が保持され、長寸突上棒１４Ａが前記起立位置で自立することとなる。この後、屋根板１３を閉じる方向に回動することにより、長寸突上棒１４Ａの先端側が対応する受け皿１６Ａ内に丁度良く受容される。
【００２３】
この状態から、屋根板１３を閉塞する場合、当該屋根板１３を開放する方向に若干持ち上げた後、長寸突上棒１４Ａを倒伏する方向に回動させればよい。この際、長寸突上棒１４Ａを当該長寸突上棒１４Ａの軸線方向に沿って持ち上げ、軸部２５を傾斜部３１から脱出させてから湾曲部３０に沿うように回動させればよい。
【００２４】
なお、短寸突上棒１４Ｂにおいても、長寸突上棒１４Ａと略同様に屋根板１３を開放することができ、これにより、屋根板１３の開放角度が二段階に調整可能となる。
【００２５】
従って、このような第１の実施例によれば、各突上棒１４Ａ，１４Ｂが前記起立位置で自立可能に設けられているので、受け皿１６Ａ，１６Ｂ内に各突上棒１４Ａ，１４Ｂの先端側を受容させるときに、屋根板１３を両手で持つことが可能となる。また、ガイド部２６が湾曲部３０を備えた屈曲形状に設けられているから、軸部２５と湾曲部３０との摩擦抵抗を少なくして、各突上棒１４Ａ，１４Ｂをスムースに回動させることができる。更に、傾斜部３１の延出方向を、前記起立位置としたときの長寸突上棒１４Ａの軸線方向と略平行となるように設定したから、各突上棒１４Ａ，１４Ｂを倒伏するときに、当該突上棒１４Ａ，１４Ｂの軸線方向に沿って持ち上げればよく、これにより、ユーザに容易なる操作感を付与することができる。
【００２６】
［第２実施例］
次に、本発明の第２の実施例について説明する。なお、以下の説明において、前記第１の実施例と同一若しくは同等の構成部分については必要に応じて同一符号を用いるものとし、説明を省略若しくは簡略にする。
【００２７】
図５ないし図９には、本発明に係る回動機構の第２の実施例が示されている。この実施例は、第１の位置規制体としての軸部３４をブラケット２０に取り付けるとともに、第２の位置規制体としてのガイド部３５を突上棒１４に設けたところに特徴を有する。
【００２８】
すなわち、第２の実施例における軸部３４は、各支持面部２２，２２の面内に設けられた穴２２Ａ，２２Ａ内に回転不能に支持されている。また、軸部３４は、第１の実施例と同様に平面部３６，３６を備えており、各平面部３６の向きは、図７及び図９に示されるように、屋根板１３の開放姿勢を保持する長寸突上棒１４Ａの軸線方向と略平行に設定されている。
【００２９】
前記ガイド部３５は、図６及び図８に示されるように、側面視横向きの鍵穴状に設けられている。具体的には、長寸突上棒１４Ａを倒伏位置としたときに、軸部３４を受容する大径穴部３８と、この大径穴部３８に連なって長寸突上棒１４Ａの先端側に向かって延びる長穴部３９とを備えている。大径穴部３８の内径は、軸部３４に外径より若干大きく設定されている一方、長穴部３９の幅は、平面部３６，３６の離間幅と略同一に設定されている。
【００３０】
以上の構成において、長寸突上棒１４Ａを倒伏位置から起立する方向に回動させた場合、軸部３４の外周に沿ってガイド部３５の大径穴部３８が回動する。そして、屋根板１３の開放姿勢を保持する起立位置まで長寸突上棒１４Ａを回動することにより、長寸突上棒１４Ａが自重により下降し、軸部３４が長穴部３９内に受容される。この際、軸部３４の各平面部３６，３６と長穴部３９とが相互に係合し、長寸突上棒１４Ａが自立することとなる。
【００３１】
従って、このような第２の実施例によれば、第１の実施例と同様に長寸突上棒１４Ａの回動角度が保たれ、屋根板１３の開放姿勢を保持する作業を無理なく行うことができる。また、軸部３４の外周に沿って大径穴部３８が回動することにより、長寸突上棒１４Ａの回動軌跡が形成されるので、当該回動操作をより一層スムースに行うことが可能となる。
【００３３】
なお、前記突上棒１４は、図示構成例に限られるものでなく、例えば、長寸突上棒１４Ａの基端側を二股に分岐し、これらの間に短寸突上棒１４Ｂを組み込む構成等としてもよい。
【００３４】
【発明の効果】
以上説明したように、本発明によれば、屋根板の開放姿勢を保持する起立位置で、突上棒を自立可能とする構成を採用したから、突上棒を手で支えることなく、屋根板を突上棒の先端に両手で持ちながら乗せることができ、これにより、屋根板の開放姿勢を容易に保持させることが可能となる。
【００３５】
また、突上棒の基部側には、突上棒の回動角度を一定に保持する軸部及びガイド部が設けられているから、屋根板裏面の受け皿と突上棒の先端との位置ずれを防止することができ、従来例に示されるような不都合を解消することが可能となる。
【図面の簡単な説明】
【図１】  第１の実施例に係る回動機構が適用されたグランドピアノの概略斜視図。
【図２】  前記回動機構を示す一部分解斜視図。
【図３】  突上棒を構成する長寸突上棒を倒伏位置としたときの説明図。
【図４】  前記長寸突上棒を屋根板の開放姿勢を保持する起立位置としたときの説明図。
【図５】  第２の実施例に係る回動機構の図２と同様の斜視図。
【図６】  突上棒を構成する長寸突上棒を倒伏位置としたときの説明図。
【図７】  前記長寸突上棒を屋根板の開放姿勢を保持する起立位置としたときの説明図。
【図８】  図６の正面断面図。
【図９】  図７の正面断面図。
【符号の説明】
１０・・・グランドピアノ、１１・・・本体、１３・・・屋根板、１４・・・突上棒、１４Ａ・・・長寸突上棒、１４Ｂ・・・短寸突上棒、２３・・・位置規制部、２５，３４・・・軸部（第１の位置規制体）、２６，３５・・・ガイド部（第２の位置規制体）
【図１】
0003772789.tif 000002
【図２】
0003772789.tif 000003
【図３】
0003772789.tif 000004
【図４】
0003772789.tif 000005
【図５】
0003772789.tif 000006
【図６】
0003772789.tif 000007
【図７】
0003772789.tif 000008
【図８】
0003772789.tif 000009
【図９】
0003772789.tif 000010